(57)【要約】【課題】  端子台を用いて電源と産業用機械とを電気的に接続するに当たり、接続作業の作業性や、様々な種類の端子に対応できるような利便性の向上が求められている。【解決手段】  本願は上記課題を解決する手段を複数含んでいるが、その一例を挙げるならば、端子台であって、外部の接続線を固定する台座と、二つの台座を電気的に接続する短絡板と、を有し、短絡板は弾性体であり、短絡板の一方は台座に固定され、短絡板の他方は、台座との間に外部の接続線を固定する手段を備えることを特徴とする。【選択図】図１
2017189021.tif 000002
【特許請求の範囲】
【請求項１】
外部の接続線を固定する台座と、
二つの前記台座を電気的に接続する短絡板と、を有し、
前記短絡板は弾性体であり、
前記短絡板の一方は、前記台座に固定され、
前記短絡板の他方は、前記台座との間に外部の接続線を固定する手段を備えるものである端子台。
【請求項２】
請求項１に記載の端子台であって、
前記短絡板の他方は、前記台座と対向する側に凸部を備え、
前記凸部と外部の接続線とが電気的に接続するものである端子台。
【請求項３】
請求項２に記載の端子台であって、
前記台座のうち、前記短絡板の他方と対向する面は磁力を帯びていることを特徴とする端子台。
【請求項４】
請求項２に記載の端子台であって、
前記凸部のうち前記台座と対向する面は鋸歯状となっているものである端子台。
【請求項５】
請求項２に記載の端子台であって、
前記凸部は、前記台座に向かって細くなる形状を備えるものである端子台。
【請求項６】
請求項２に記載の端子台であって、
さらに複数の前記短絡板を固定する固定板を有し、
前記固定板は、前記短絡板同士の間に挿入される挿入部を有し、
前記挿入部は絶縁性である端子台。
【請求項７】
請求項１に記載の端子台と、
複数の巻線を有する固定子と、
前記回転子からの磁束により回転する回転子と、
前記回転子と共回りする回転軸と、を備え、
前記巻線に電力を供給する電力供給線は、前記端子台に接続されているものである回転電機。
【発明の詳細な説明】
【技術分野】
【０００１】
本実施例は、端子台およびこれを備えた回転電機に関する。
【背景技術】
【０００２】
例えば、電動機等のように外部から電力の供給を受けて動作する機械には、外部の電源と自機とを接続する端子を固定するための端子台が設けられている。
【０００３】
端子台の構造に関する公知技術として、例えば特許文献１がある。特許文献１の段落番号０００８には、「本発明の端子構造によれば、一つの電線は被覆を除去した裸電線として電線挿通孔に挿入し、該裸電線を電線固定ボルトの先端により固定するとともに、他の電線は先端に圧着端子などの端子を取り付け、この端子を雌ねじ部材と端子固定ナットとの間に固定するようにしているので、裸電線の太さや端子の厚さには関係なく両者を確実に締め付け固定することができる。」と記載されている。
【先行技術文献】
【特許文献】
【０００４】
【特許文献１】特開２０１１−５４４１４号公報
【発明の概要】
【発明が解決しようとする課題】
【０００５】
端子台を用いて電源と産業用機械とを電気的に接続するに当たり、接続作業の作業性や、様々な種類の端子に対応できるような利便性の向上が求められている。
【０００６】
例えば、特許文献１に記載の構造では、雄ネジと雌ネジを使用し、端子固定ナットに横穴をあける構造としている。こうすることで、ねじに勘合する丸端子やＵ字形端子だけでなく、横穴に素線を挿入できるため、端子の形状が素線直出の場合でも接続可能な構造となっている。
【０００７】
しかし、特許文献１の構造では、端子固定ナットが増えた分、部品点数の増加により複雑化を招きやすい。また、素線を接続する際は雄ねじと雌ねじでは挟み込む必要があり、雄ねじを締めこまなければ固定できないため作業性にも課題が生じる。
【０００８】
本発明は、上記課題に鑑みてなされたものであり、電源接続側の端子の固定をする際に、接続線を取り付け可能な端子台を提供する。
【課題を解決するための手段】
【０００９】
上記課題を解決するために、例えば請求の範囲に記載の構成を採用する。本願は上記課題を解決する手段を複数含んでいるが、その一例を挙げるならば、端子台であって、外部の接続線を固定する台座と、二つの台座を電気的に接続する短絡板と、を有し、短絡板は弾性体であり、短絡板の一方は台座に固定され、短絡板の他方は、台座との間に外部の接続線を固定する手段を備えることを特徴とする。
【発明の効果】
【００１０】
本実施例によれば、電源接続側の端子の固定をする際、ボルトによる固定をすることなく、ワンタッチ式で取り付け可能な端子台構造を提供することがきる。
【図面の簡単な説明】
【００１１】
【図１】実施例１の端子台の断面図および上面図である。
【図２】実施例１の端子台の分解図である。
【図３】実施例１のナット１４の例を示す図である。
【図４】実施例１，３の短絡板の例を示す図である。
【図５】実施例１の固定板の例を示す図である。
【図６】実施例１の端子台が設けられた回転電機の外観を示す図である。
【発明を実施するための形態】
【実施例１】
【００１２】
以下、端子台を本実施例の実施例とし、図面を適宜参照しながら説明する。
【００１３】
図１は、本実施例の実施例１に係る端子台の部分断面図である。
【００１４】
本実施例では本発明にかかる端子台を３相交流モータに取り付けた例をとって説明する。本実施例の端子台は、大別して、駆動製品取り付け側と、電源接続側とで構成されている。いずれの側も接続線が接続される箇所はｕ相、ｖ相及びｗ相の３か所で、端子台としては全部で６か所に接続線が接続されることとなる。なお、本実施例では３相交流モータに取り付けた例を説明するため、各側３か所となっているが、取り付けるのが別の産業機器である場合には、各側１か所でも２か所でもかまわない。
【００１５】
まず、駆動製品取り付け側について述べる。駆動製品側の接続線を接続するためのベースとなる端子台座は、基礎部１、ケーブルを固定するためのボルト２からなる。さらに、平座金３と、ボルト２を基礎部１に固定するためのナット４と、前記ナット４の緩み防止のためのバネ座金５と、ボルト２を端子台座１に固定するためのナット４と、導通させるための短絡板６と、前記短絡板６と駆動製品のケーブル先端に接続される接続線７を固定するための平座金８とバネ座金９とナット１０がある。
【００１６】
固定の仕方は、まず基礎部１に設けられた６つの穴のうち、一列に並ぶ３つの穴それぞれにボルト２を下側から挿入する。次に、基礎部の上側から平座金３、ナット４を用いてボルトを固定する。平座金３がなくともボルトを固定することは可能であるが、本実施例では、基礎部への傷を防止するために設けている。
【００１７】
ナット４の上には接続線７とボルトとを電気的に接続させ、そのうえからボルトを短絡板6２の穴にはめ込む。短絡板6は、例えば図１のように横方向に３列並んでいる台座の場合、駆動側から電源側を短絡させるために３つ個別に設ける。なお、接続線７の形状はＯ型端子、Ｕ型端子、むき出しの素線あるいはリード線など、どのようなものでも構わない。
【００１８】
さらに短絡板の上から接続線７を押し付けて固定するために座金とナットをボルトにはめ込む。これにより、駆動側の端子台に接続線7が固定された形となる。
【００１９】
次に、電源接続側について述べる。こちらは、駆動側と共通する基礎部１にしたからボルト１１を挿入する。さらに平座金１２と、ナット緩み防止のためのバネ座金１３と、ナット１４とをボルトにはめ込む。その後、ナット１４の上に電源側の接続線１５を置き、短絡板６で上から押さえる。ナット１４は図３に示す通り上側（短絡板と対向する側）に一部切り欠きを有する形状としており、この接続線１５の端部が線状で合った場合にこれを切り欠きに収めることのできる形状となっている。この切り欠きは、短絡板凸部6１と接続線１５との接触面積を増やすために、ナット１４の空洞部を中心に対象に設けられ、接続線１５はナット１４の空洞部を貫通する形で配置されることが望ましい。
【００２０】
短絡板６の駆動側の一方はすでに駆動側端子台に固定されているが、短絡板は弾性体であるため、電源側の他方を持ち上げてナットと短絡板凸部６１の間に接続線を挟み込む形で固定することができる。
【００２１】
なお、短絡板６は弾性体ではあるものの、駆動側の接続線７と電源側の接続線１５とを電気的に接続する必要がある。例えば、プリント基板のような一部に導通する部分を有し且つ全体としては弾性のある部材が好ましい。
【００２２】
このとき、短絡板６のうち接続線を固定する部分、すなわち電源側端子台と対向する部分６１は凸部となっている。この凸部の一部が中空となっているナットにおさまることで、接続線を固定することができる。特に、接続線がＯ型圧着端子やＵ型圧着端子の場合に、凸部とＯ型あるいはＵ型の先端が勘合するため、接続作業が容易となる。
【００２３】
さらに接続線１５をきつく固定したい場合には、短絡板の上に固定板１６を設けても良い。本実施例の固定板１６は、３か所あるボルト１１を全て覆う形で、短絡板６と交差する方向に延伸する形状としている。さらに固定板１６の下面（基礎部と対向する面）には、図５のように凸部１６１を有しており、この凸部１６１が隣り合うナット１４同士の間に挿入されることで、互いの接続線箇所同士の絶縁性を向上させている。本実施例には作業性向上のため３か所すべてを一度に固定できる形状としているが、各箇所を個別に固定する固定板個別に設けても良い。固定板１６の材質は、例えばゴムのような絶縁性の高いものが好ましい。隣り合う固定板１６を通じて接続線１５同士が電気的に短絡してしまうのを防ぐためである。
【００２４】
本実施例の端子台は、例えば図６のように回転電機20の端子箱22内に取り付けることができる。回転電機は、複数の巻線からなる固定子と、固定子巻線からの磁束により回転子と、回転軸21と、を備える電動機であっても良いし、発電機であっても良い。この場合、回転電機の電機子に電力を供給する接続線１５（電力供給線）は、端子台の駆動側に接続される。もちろん、本発明の端子台を設ける対象は、モータ（電動機）やジェネレータ（発電機）に限られるものではない。
【００２５】
以上を踏まえると、本実施例に記載の発明は、端子台であって、外部の接続線を固定する台座と、二つの台座を電気的に接続する短絡板と、を有し、短絡板は弾性体であり、短絡板の一方は台座に固定され、短絡板の他方は、台座との間に外部の接続線を固定する手段を備えることを特徴とする。
【００２６】
これにより、ナットやボルトを外さずに接続線１５を固定することができるため作業性が向上する。
【実施例２】
【００２７】
本実施例では、実施例１の変形例として、電源側の端子台２２を構成するボルト１１の先端部を着磁した構成について説明する。その他の構成は実施例１と同様のため説明を省略する。
【００２８】
ボルト１１の先端部を着磁することで、より短絡板とボルト１１との間の引力が強まり、両者の間に挟まっている接続線１５をきつく固定することができる。
【００２９】
また、ボルト１１の先端部ではなく、短絡板の凸部に着磁しても同様の効果が得られる。あるいはボルト１１の先端部と短絡板の凸部の両方に着磁しても良い。
【実施例３】
【００３０】
本実施例では実施例１の変形例として、短絡板の凸部の形状を変形した構成について説明する。その他の構成は実施例１と同様のため説明を省略する。
【００３１】
本実施例の短絡板凸部は、図４上に記載してあるように鋸歯状になっている。これにより、接続線１５の形状が素線だった場合に鋸歯と素線が接触する点が増えるため素線が抜けてしまう虞を低減することができ、信頼性が向上する。
【００３２】
あるいは、短絡板凸部は、図４のように基礎部１へ向かって細くなる錐形状としても良い。接続線１５の形状がＯ型圧着端子であった場合、各端子の微妙な内径の違いで接続が不安定になる恐れがある。しかし、短絡板凸部６１が錐形状であれば、各端子の内径に応じた適切な位置で短絡板凸部６１と各端子が勘合するため、接続部分の信頼性が向上する。
【符号の説明】
【００３３】
１  端子台座、
２  ボルト、
３  平座金、
４  ナット、
５  バネ座金、
６  短絡板、
７  圧着端子、
８  平座金、
９  バネ座金、
１０  ナット、
１１  ボルト、
１２  平座金、
１３  バネ座金、
１４  ナット、
１５  圧着端子、
１６  固定板。
【図１】
2017189021.tif 000003
【図２】
2017189021.tif 000004
【図３】
2017189021.tif 000005
【図４】
2017189021.tif 000006
【図５】
2017189021.tif 000007
【図６】
2017189021.tif 000008